(57)【特許請求の範囲】
【請求項１】
複数の下階建物ユニットを並設して建物の下階を形成し、
その後、上階建物ユニットを、前記複数の下階建物ユニットよりも上方で、かつ複数の下階建物ユニットのうち建物の一側面に配置された下階建物ユニットよりも内側に設置し、さらに、この上階建物ユニットと、前記建物の一側面に配置された下階建物ユニットとの間に傾斜面材を架け渡して傾斜面を形成することによって、建物の三階以上の階である上階を形成するに際し、
前記上階建物ユニットの側面の傾斜面側の部位に、予め組み立てられた状態の進入口を仮に取り付けておき、
前記上階建物ユニットを設置した後に、この上階建物ユニットから前記進入口を取り外すとともに前記傾斜面側に移動させ、前記建物の一側面に配置された下階建物ユニットの上方に設置することを特徴とする進入口の施工方法。
【請求項２】
請求項１に記載の進入口の施工方法において、
前記建物の一側面に配置された下階建物ユニットの上面に、前記進入口の下端部が取り付けられる上階床パネルを設置した後に、前記上階建物ユニットを設置することを特徴とする進入口の施工方法。
【請求項３】
請求項２に記載の進入口の施工方法において、
前記上階床パネルの上面のうち建物の一側面側に、防水処理が施されたバルコニー用の防水床を設置した後に、前記進入口を、前記上階床パネルの上面に、前記防水床の建物中央側縁部に沿って取り付けることを特徴とする進入口の施工方法。
【請求項４】
請求項１〜３のいずれか一項に記載の進入口の施工方法において、
前記進入口を、前記上階建物ユニットの傾斜面側の部位に仮に取り付ける際に、この進入口の高さと、前記上階建物ユニットの高さとの差を補填する仮取付治具を使用することを特徴とする進入口の施工方法。
【請求項５】
請求項４に記載の進入口の施工方法で使用される進入口であって、
前記建物の上階の壁に開口部を形成するとともに前記傾斜面材を支持するための枠体と、
前記枠体の内側面に取り付けられるサッシと、を備え、
前記枠体の上端部には、前記傾斜面材を受ける受け板部が取り付けられており、
この受け板部は、進入口を上階建物ユニットに仮に取り付けておく際には、仮取付治具に備えられた連結部に連結されることを特徴とする進入口。
【発明の詳細な説明】
【技術分野】
【０００１】
本発明は、三階建て以上の建物の傾斜面側に設けられる進入口および進入口の施工方法に関する。
【背景技術】
【０００２】
三階建て以上の建物のうち、三階以上の階で高さ３１メートル以下の部分には、火災時に消防隊が消火活動に使用するための非常用進入口、または、この非常用進入口に代わる代用進入口を設けることが義務付けられている。
従来、このような非常用進入口（以下、進入口）を備えた台形箱状の建物ユニットを用いて三階建て以上の建物を建築する技術が知られている（例えば、特許文献１参照）。この特許文献１に記載のような台形箱状の建物ユニットを用いることによって、法律で定められた斜線制限に対応する建物の傾斜面側に進入口を確実に設けることができる。
【先行技術文献】
【特許文献】
【０００３】
【特許文献１】特開平０９−２０３１１９号公報
【発明の概要】
【発明が解決しようとする課題】
【０００４】
しかし、台形箱状の建物ユニットを用いなければならない分、コストや作業手間が増加する場合があり、台形箱状の建物ユニットを用いずに三階建て以上の建物を建築したいという要望があった。
ところが、台形箱状の建物ユニットを用いないとなると、現場にて、進入口を三階以上の階に運搬したり、組み立てを行ったりしなければならない。このため、かえって作業手間が増えてしまい、施工性の向上を図れない場合がある。
【０００５】
本発明の課題は、進入口を三階建て以上の建物の傾斜面側に容易に取り付けることができる進入口の施工方法および進入口を提供することを目的とする。
【課題を解決するための手段】
【０００６】
請求項１に記載の発明は、進入口３０の施工方法であって、例えば図１〜図１０に示すように、複数の下階建物ユニット１０ａ…を並設して建物１の下階２を形成し、
その後、上階建物ユニット１０ｂを、前記複数の下階建物ユニット１０ａ…よりも上方で、かつ複数の下階建物ユニット１０ａ…のうち建物１の一側面１ａに配置された下階建物ユニット１０ａよりも内側に設置し、さらに、この上階建物ユニット１０ｂと、前記建物１の一側面１ａに配置された下階建物ユニット１０ａとの間に傾斜面材２０を架け渡して傾斜面４を形成することによって、建物１の三階以上の階である上階３を形成するに際し、
前記上階建物ユニット１０ｂの側面の傾斜面４側の部位に、予め組み立てられた状態の進入口３０を仮に取り付けておき、
前記上階建物ユニット１０ｂを設置した後に、この上階建物ユニット１０ｂから前記進入口３０を取り外すとともに前記傾斜面４側に移動させ、前記建物１の一側面１ａに配置された下階建物ユニット１０ａの上方に設置することを特徴とする。
【０００７】
請求項１に記載の発明によれば、前記上階建物ユニット１０ｂを、前記複数の下階建物ユニット１０ａ…よりも上方で、かつ複数の下階建物ユニット１０ａ…のうち建物１の一側面１ａに配置された下階建物ユニット１０ａよりも内側に設置するのと同時に、この上階建物ユニット１０ｂの側面の傾斜面４側の部位に仮に取り付けられた前記進入口３０も、建物１の三階以上の階３に運搬することができる。さらに、前記進入口３０を、前記上階建物ユニット１０ｂから取り外すとともに前記傾斜面４側に移動させ、前記建物１の一側面１ａに配置された下階建物ユニット１０ａの上方に設置するようにして取付作業を行うので、三階以上の階３で進入口３０を組み立てる必要が無くなり、この進入口３０を、前記上階建物ユニット１０ｂから前記建物１の一側面１ａに配置された下階建物ユニット１０ａの上方に付け替えるだけで済む。これによって、前記進入口３０を三階建て以上の建物１の傾斜面４側に容易に取り付けることができる。
【０００８】
請求項２に記載の発明は、例えば図４〜図１０に示すように、請求項１に記載の進入口３０の施工方法において、
前記建物１の一側面１ａに配置された下階建物ユニット１０ａの上面に、前記進入口３０の下端部が取り付けられる上階床パネル４０を設置した後に、前記上階建物ユニット１０ｂを設置することを特徴とする。
【０００９】
請求項２に記載の発明によれば、前記上階建物ユニット１０ｂを設置する前に、前記進入口３０の下端部が取り付けられる上階床パネル４０を、前記建物１の一側面１ａに配置された下階建物ユニット１０ａの上面に設置しておくので、前記上階建物ユニット１０ｂを設置してから、前記進入口３０の取付作業に取り掛かることができる。すなわち、前記進入口３０は、前記上階床パネル４０に取り付けられるため、この進入口３０が運搬される前に上階床パネル４０が設置されていれば、この進入口３０を、設置場所を間違えることなく前記上階床パネル４の所定の位置に取り付けることができる。
また、前記上階床パネル４０を足場として、前記進入口３０の取付作業を行うことができるので、この進入口３０の取付作業を安全に行うことができる。
また、例えば前記上階床パネル４０のうち、前記進入口３０の下端部を取り付ける部位（例えば床中間梁４２）が露出するなどして分かる状態となっていれば、この上階床パネル４０の特定の部位を、前記進入口３０を取り付ける際の位置決めとして利用することができる。
【００１０】
請求項３に記載の発明は、例えば図４〜図１０に示すように、請求項２に記載の進入口３０の施工方法において、
前記上階床パネル４０の上面のうち建物１の一側面１ａ側に、防水処理が施されたバルコニー５用の防水床４６を設置した後に、前記進入口３０を、前記上階床パネル４０の上面に、前記防水床４６の建物中央側縁部４６ａに沿って取り付けることを特徴とする。
【００１１】
請求項３に記載の発明によれば、前記進入口３０を前記上階床パネル４０の上面に取り付ける前に、前記防水床４６を、前記上階床パネル４０の上面のうち建物１の一側面１ａ側に設置しておくので、バルコニー５の床４６を形成してから、このバルコニー５に面して配置される進入口３０を設置できる。すなわち、前記進入口３０はバルコニー５に面して配置されるため、この進入口３０が設置される前にバルコニー５の防水床４６が形成されていれば、この進入口３０を、設置場所を間違えることなく前記上階建物ユニット１０ｂの仮取付位置から移動させることができる。
そして、前記進入口３０を、前記防水床４６の建物中央側縁部４６ａに沿って取り付けるので、この防水床４６の建物中央側縁部４６ａを位置決めとして利用することができる。
【００１２】
請求項４に記載の発明は、例えば図４〜図７に示すように、請求項１〜３のいずれか一項に記載の進入口３０の施工方法において、
前記進入口３０を、前記上階建物ユニット１０ｂの側面の傾斜面４側の部位に仮に取り付ける際に、この進入口３０の高さと、前記上階建物ユニット１０ｂの高さとの差を補填する仮取付治具５０を使用することを特徴とする。
【００１３】
請求項４に記載の発明によれば、前記進入口３０を、前記上階建物ユニット１０ｂの側面の傾斜面４側の部位に仮に取り付ける際に、この進入口３０の高さと、前記上階建物ユニット１０ｂの高さとの差を補填する仮取付治具５０を使用するので、前記進入口３０を、前記上階建物ユニット１０ｂに確実に取り付けることができる。
また、前記仮取付治具５０は、別の進入口の施工工事の際に使い回すことができるので、この仮取付治具５０を製造に係るコストや手間を低減でき、好ましい。
【００１４】
請求項５に記載の発明は、例えば図３〜図１０に示すように、請求項４に記載の進入口３０の施工方法で使用される進入口３０であって、
前記建物１の上階３の壁に開口部３１ａを形成するとともに前記傾斜面材２０を支持するための枠体３１と、
前記枠体３１の内側面に取り付けられるサッシ３９と、を備え、
前記枠体３１の上端部には、前記傾斜面材２０を受ける受け板部３８が取り付けられており、
この受け板部３８は、進入口３０を上階建物ユニット１０ｂに仮に取り付けておく際には、仮取付治具５０に備えられた連結部５２に連結されることを特徴とする。
【００１５】
請求項５に記載の発明によれば、前記進入口３０を、前記建物１の一側面１ａに配置された下階建物ユニット１０ａの上方に設置すれば、サッシ３９の取付も同時に行うことができるので、三階以上の階３で前記進入口３０を組み立てる必要が無くなり、前記進入口３０を三階建て以上の建物１の傾斜面４側に容易に取り付けることができる。
また、前記枠体３１によって、前記傾斜面材２０のうち、前記上階建物ユニット１０ｂと、前記建物１の一側面１ａに配置された下階建物ユニット１０ａとの間の部分を支持できるので、この傾斜面材２０の設置状態の安定性を向上させることができる。
【発明の効果】
【００１６】
本発明によれば、上階建物ユニットの側面の傾斜面側の部位に、予め組み立てられた状態の進入口を仮に取り付けておくことによって、上階建物ユニットを、複数の下階建物ユニットよりも上方で、かつ複数の下階建物ユニットのうち建物の一側面に配置された下階建物ユニットよりも内側に設置するのと同時に、この上階建物ユニットの側面の傾斜面側の部位に仮に取り付けられた進入口も、建物の三階以上の階に運搬することができる。さらに、進入口を、上階建物ユニットから取り外すとともに傾斜面側に移動させ、建物の一側面に配置された下階建物ユニットの上方に設置するようにして取付作業を行うので、三階以上の階で進入口を組み立てる必要が無くなり、この進入口を、上階建物ユニットから建物の一側面に配置された下階建物ユニットの上方に付け替えるだけで済む。これによって、進入口を三階建て以上の建物の傾斜面側に容易に取り付けることができる。
【図面の簡単な説明】
【００１７】
【図１】進入口が傾斜面側に取り付けられた三階建て以上の建物を示す断面図である。
【図２】建物ユニットの一例を示す斜視図である。
【図３】進入口を構成する枠体を示す図である。
【図４】進入口が仮に取り付けられた上階建物ユニットを示す図である。
【図５】進入口の枠体と仮取付治具との連結部分を示す図である。
【図６】図４とは異なる角度で見た場合の、進入口が仮に取り付けられた上階建物ユニットを示す図である。
【図７】進入口の枠体と上階建物ユニットとの連結部分を示す図である。
【図８】進入口の施工方法の一例を示す平面図である。
【図９】上階床パネルの上面に設置された進入口を示す図である。
【図１０】図９において進入口の枠体によって支持された状態の傾斜面材を示す図である。
【発明を実施するための形態】
【００１８】
以下、図面を参照して本発明の実施の形態について説明する。
図１に示す建物１はユニット建物であり、複数の建物ユニット１０（１０ａ，１０ｂ，１０ｃ）等によって建物本体が構成されており、本実施の形態においては三階建てとされている。また、建物本体の上部には切妻形状の屋根が設けられており、屋根パネルである傾斜面材２０によって構成されている。
建物１の三階には、前記傾斜面材２０によって傾斜面４が形成されている。この傾斜面４は、法律で定められた斜線制限に対応するためのものである。さらに、この傾斜面４が形成される建物１の一側面１ａが、道または道に通ずる幅員４メートル以上の通路その他の空地に面している。このため、この建物１の一側面１ａの三階部分には、進入口３０を設置することが、法律上、義務付けられている。また、この進入口３０は、バルコニー５に面して設けられている。
なお、建物ユニット１０ｃは、建物本体の一階を構成する一階建物ユニットであり、建物ユニット１０ａは二階を構成する下階建物ユニットであり、建物ユニット１０ｂは三階を構成する上階建物ユニットである。
【００１９】
ここで、前記建物ユニット１０ａ，１０ｂ，１０ｃは、図２に示すように、４本の柱１１と、これらの柱１１…の上端間どうしを結合する４本の天井梁１２…と、柱１１…の下端間どうしを結合する４本の床梁１３…とを備えている。
４本の天井梁１２…は、２本の長辺天井梁１２ａ，１２ａおよび長辺天井梁１２ａより短い２本の短辺天井梁１２ｂ，１２ｂによって構成されている。４本の床梁１３は２本の長辺床梁１３ａ，１３ａおよび長辺床梁１３ａより短い２本の短辺床梁１３ｂ，１３ｂによって構成されている。なお、柱１１は正方形筒状に形成されており、天井梁１２と床梁１３は、それぞれ断面コ字型に形成されている。
２本の長辺天井梁１２ａ，１２ａには、複数の天井小梁１４が架設されており、該天井小梁１４は長辺天井梁１２ａの長手方向に所定間隔で設けられている。これら天井小梁１４の下面には天井板１５が固定されている。
２本の長辺床梁１３ａ，１３ａには、複数の根太１６が架設されており、該根太１６は長辺床梁１３ａの長手方向に所定間隔で設けられている。これら根太１６の上面には床板１７が固定されている。
なお、柱１１の上端部と天井梁１２の端部とは柱頭接合部材１８によって接合され、柱１１の下端部と床梁１３の端部とは柱脚接合部材１９によって接合されている。
また、このような建物ユニット１０ａ，１０ｂ，１０ｃが上下や前後左右に隣接して配置される場合には、図示しない位置決めピンや連結プレート、ボルト等によって適宜連結される。
【００２０】
図１に示すように、複数の前記一階建物ユニット１０ｃ…を、基礎上に並設することによって、建物１の一階が形成されている。
本実施の形態において、これら複数の一階建物ユニット１０ｃ…は、長辺方向において２個分隣接して配置されるとともに、短辺方向において適当な間隔をあけて２個分離し置きされている。
また、離し置きされた一方および他方の一階建物ユニット１０ｃ，１０ｃ間に床板７を取り付けることで一階床を形成している。また、複数の一階建物ユニット１０ｃ…に、適宜、内壁面材が取り付けられたり、断熱材が壁内に設けられたりしている。
以上のようにして、建物１の一階が構成されている。すなわち、建物１の一階を構成するために、４つの一階建物ユニット１０ｃ…等が用いられている。
【００２１】
図１に示すように、複数の前記下階建物ユニット１０ａ…を、前記建物１の一階の上に並設することによって、建物１の二階が形成されている。
本実施の形態において、これら複数の下階建物ユニット１０ａ…は、建物１の一階部分が、上述のように複数の一階建物ユニット１０ｃ…を離し置きして形成されているため、建物１の二階も同様に、長辺方向において２個分隣接して配置されるとともに、短辺方向において適当な間隔をあけて２個分離し置きされている。
また、離し置きされた一方の下階建物ユニット１０ａの長辺床梁１３ａおよび他方の下階建物ユニット１０ａの長辺床梁１３ａには、これら長辺床梁１３ａ，１３ａに沿って支持梁６ａ，６ａがそれぞれ固定されている。また、一方の下階建物ユニット１０ａ側の支持梁６ａと他方の下階建物ユニット１０ａ側の支持梁６ａとの間には、連結部材６が、支持梁６ａ，６ａの長さ方向に適当な間隔をあけて複数架設されている。そして、これら複数の連結部材６…上面には、下階建物ユニット１０ａの床板１７と面一となる床板６ｂが取り付けられている。これによって、二階床が形成されている。
また、複数の下階建物ユニット１０ａ…には、適宜、内壁面材が取り付けられたり、断熱材が壁内に設けられたりしている。
以上のようにして、建物１の二階が構成されている。すなわち、建物１の二階を構成するために、４つの下階建物ユニット１０ａ…や複数の連結部材６…等が用いられている。
【００２２】
図１および図８に示すように、前記建物１の二階の上に、前記複数の前記上階建物ユニット１０ｂ…を並設するとともに、前記複数の上階床パネル４０…を並設することによって、建物の三階が形成されている。
なお、建物１の三階３には、上述のように、建物１の一側面１ａに傾斜面４を形成する必要がある。
傾斜面４の下方には、直方体状に形成された前記建物ユニット１０を設置できないため、前記上階建物ユニット１０ｂは、図１に示すように、屋根の棟部の下方に設置されている。なお、この屋根の棟部下方の場所は、二階２の離し置きされた一方および他方の下階建物ユニット１０ａ，１０ａ間の隙間の上方に位置している。このため、上階建物ユニット１０ｂは、例えば図示しない支持プレートや支持梁等のような支持手段によって、前記一方および他方の下階建物ユニット１０ａ，１０ａ間の隙間の上方に支持されている。本実施の形態において、前記上階建物ユニット１０ｂは、図８に示すように、長辺方向において２個分隣接して配置されている。
また、本実施の形態において建物の三階３は、図１に示すように、屋根形状に沿って天井板が設けられている。このような場合、前記長辺天井梁１２ａ，１２ａ間に架設される前記複数の天井小梁１４…は、前記上階建物ユニット１０ｂから取り外されている。さらに、この上階建物ユニット１０ｂには、前記長辺天井梁１２ａ，１２ａおよび前記短辺天井梁１２ｂ，１２ｂの内側面に沿って補強天井梁１２ｃが設けられており、これら長辺天井梁１２ａ，１２ａおよび短辺天井梁１２ｂ，１２ｂを補強している。
【００２３】
また、前記上階床パネル４０は、図８に示すように、前記建物の一側面１ａ側と、この一側面１ａとは反対の他側面１ｂ側とに２つずつ、それぞれ長辺方向において隣接して配置されている。また、これら複数の上階床パネル４０…は、建物１の二階２の離し置きされた一方および他方の下階建物ユニット１０ａ，１０ａの上面に設置されている。
この上階床パネル４０は、４本の床梁４１…と、床中間梁４２と、根太４３等を備えている。
４本の床梁４１…は２本の長辺床梁４１ａ，４１ａおよび長辺床梁４１ａより短い２本の短辺床梁４１ｂ，４１ｂによって構成されている。
また、前記床中間梁４２は、２本の前記短辺床梁４１ｂ，４１ｂの中間付近において長辺方向に配置されている。また、この床中間梁４２は、図８に示すように、端部が、前記短辺床梁４１ｂに固定されており、下部が、二階２の下階建物ユニット１０ａの天井小梁１４にボルト固定されている。なお、この床中間梁４２は、前記進入口３０の下端部が固定される部位とされている。
また、前記根太４３は、前記床中間梁４２と建物１の一側面１ａ側の長辺床梁４１ａとの間に架設されている。
また、前記建物１の一側面１ａ側の長辺床梁４１ａには、図４に示すように、三階３の外壁を構成する外壁材４４が取り付けられている。さらに、この外壁材４４の上端部と前記傾斜面材２０の軒先側端部との間には軒天井２４が設けられている。
また、この上階床パネル４０の上面には床板４５が設けられており、前記上階建物ユニット１０ｂの床板１７と連続して設けられている。さらに、本実施の形態においては、三階３の床面よりも一段低い床面として、前記下階建物ユニット１０ａの上面に床板１５ａが設けられている。この一段低い床面は、二階２と三階３との間に設けられる階段のステップとして利用されている。
【００２４】
また、前記上階床パネル４０の上面のうち建物１の一側面１ａ側には、図４および図９に示すように、防水処理が施されたバルコニー５用の防水床４６が設置されている。なお、この防水床４６は、両端部が、前記上階床パネル４０の短辺床梁４１ｂと根太４３とに接合されている。
この防水床４６は、床梁４７と、立ち上がり４８と、床板４９とを備えている。床梁４７は２本の長辺梁および２本の短辺梁によって構成されている。
立ち上がり４８は、前記床梁４７に沿って該床梁４７の上面に立設されており、この立ち上がり４８の内側に、水勾配が設定された前記床板４９が設けられている。また、この床板４９の水勾配の下方には排水口が設けられている。
また、この防水床４６には、塩ビ防水シートが前記床板４９および該床板４９の周囲に設けられることによって防水処理が施されている。
なお、前記進入口３０は、この防水床４６の建物中央側縁部４６ａに沿って取り付けられている。より詳細には、この進入口３０は、建物１の一側面１ａとは反対側に位置する前記立ち上がり４８の外側面に沿って取り付けられている。したがって、この防水床４６の建物中央側縁部４６ａを、前記進入口３０を取り付ける際の位置決めとして利用できる。このため、前記進入口３０を容易かつ正確に取り付けることができる。
また、前記立ち上がり４８のうち、建物１の一側面１ａ側に位置する部位の上面には、バルコニー５の壁を構成するバルコニー壁２２が立設されている。
【００２５】
なお、本実施の形態の建物１は、一階および二階において、短辺方向に隣り合う建物ユニット１０（１０ａ，１０ｃ），１０（１０ａ，１０ｃ）を、適当な間隔をあけて離し置きしたが、これに限られるものではなく、間隔をあける代わりに建物ユニット１０（１０ａ，１０ｃ）を設置してもよいものとする。つまり、複数の建物ユニット１０（１０ａ，１０ｃ）を、長辺方向にも短辺方向にも離し置きせずに、隙間なく並設することによって建物１の一階および二階を形成してもよいものとする。
また、例えば図８に示すように、長辺方向に長さの異なる建物ユニット１０，１０を用いて建物本体を構成してもよい。
【００２６】
また、前記傾斜面４は、上述のように屋根を構成する傾斜面材２０によって形成されている。
この傾斜面材２０は、前記上階建物ユニット１０ｂと、前記建物１の一側面１ａに配置された下階建物ユニット１０ａとの間に架け渡されている。より具体的には、前記上階建物ユニット１０ｂの長辺天井梁１２ａと、前記建物１の一側面１ａに配置された下階建物ユニット１０ａの上面に設置された上階床パネル４０に立設される屋根束（図示せず）との間に架設されている。すなわち、この傾斜面材２０の上部は、前記上階建物ユニット１０ｂの長辺天井梁１２ａによって支持され、下部は、前記上階床パネル４０および屋根束を介して前記下階建物ユニット１０ａによって支持されている。
なお、前記屋根束は、前記上階床パネル４０の長辺方向に間隔をあけて複数立設されている。また、この屋根束は、前記上階建物ユニット１０ｂと、前記建物１の一側面１ａに配置された下階建物ユニット１０ａとの間に架け渡された傾斜面材２０の下方の上階床パネル４０だけに立設されるものではなく、建物１の三階３に並設される複数の上階床パネル４０…の全てに必要な分だけ配置されており、屋根全体を支持しているものとする。
【００２７】
また、前記傾斜面材２０は、図９に示すように、枠材２０ａと、桟材２０ｂと、母屋２０ｃと、野地板２０ｄと、断熱材２０ｅとを備えている。
前記枠材２０ａは、複数本の枠材２０ａを縦横に組み立てられることによって前記傾斜面材２０の外枠となる矩形枠を形成するものである。
前記桟材２０ｂは、屋根の勾配方向に沿って、前記枠材２０ａ…によって形成された矩形枠に複数組み付けられる。これら複数の桟材２０ｂ…は垂木として機能する。また、前記母屋２０ｃは、屋根の棟方向に沿って、前記矩形枠に複数組み付けられている。
前記野地板２０ｄは、前記枠材２０ａ…で形成された矩形枠と、この矩形枠に組み付けられた複数の桟材２０ｂ…と母屋２０ｃの上面に取り付けられている。
前記断熱材２０ｅは、傾斜面材２０の内部に充填されるものであり、具体的には、前記野地板２０ｄと、傾斜面材２０の室内側面に取り付けられる天井板との間に形成される空隙に充填されている。
なお、前記野地板２０ｄのうち、前記バルコニー５に対応する箇所は開口部とされており、これによって、前記バルコニー５は、上方に向かって、かつ屋外に開放されている。また、前記複数の桟材２０ｂ…および複数の母屋２０ｃ…のうち、前記バルコニー５に面して設けられる桟材２０ｂおよび母屋２０ｃは、例えば後述する上部壁２１や棟包み２３等のようなカバー手段によって、適宜、覆われているものとする。
また、前記枠材２０ａや桟材２０ｂ、母屋２０ｃには、後述する受け板部３８のボルト孔３８ａに対応するボルト固定用のナットや、屋根束をボルト固定するためのナットが取り付けられている。
【００２８】
そして、前記傾斜面材２０の下方には、図１および図９に示すように、上端部が、この傾斜面材２０に固定されるとともに、下端部が、前記床中間梁４２に固定される前記進入口３０が設けられる。
この進入口３０は、図３および図９等に示すように、三階３の壁に開口部３１ａを形成するとともに前記傾斜面材２０を支持するための金属製の枠体３１と、この枠体３１の内側面に取り付けられるサッシ３９と、を備えた装置とされている。
前記枠体３１は、正方形筒状に形成された２本の縦枠材３２，３２と、これら２本の縦枠材３２，３２の上端部間に架設される横枠材３３と、下端部間に架設される横枠材３５とによって矩形枠状に形成されている。この枠体３１の内側に形成される開口部３１ａが、バルコニー５に面する建物１の三階３に設けられる壁の開口部として利用される。
なお、この進入口３０は、下端部が前記床中間梁４２に固定されるため、この床中間梁４２を、前記進入口３０を取り付ける際の位置決めとして利用できる。このため、前記進入口３０を容易かつ正確に取り付けることができる。
【００２９】
前記縦枠材３２の下端部には、この縦枠材３２を挟んで両側にボルト孔が形成されたベースプレート３２ａが設けられている。このベースプレート３２ａの縦枠材３２を挟んで両側にはそれぞれボルト孔が形成されており、縦枠材３２を所定の箇所に固定するためのボルトを挿入できるようになっている。
また、縦枠材３２の上端部は、前記傾斜面材２０の傾斜角度に対応した角度に斜めに形成されており、さらに、この上端部には、前記傾斜面材２０を受ける受け板部３８が取り付けられている。この受け板部３８は、斜めに形成された縦枠材３２の上面よりも広く、かつ上方に延出している。この受け板部３８の延出部分には複数のボルト孔３８ａ…が形成されており、傾斜面材２０を受け板部３８に固定するためのボルト３８ｂを挿入できるようになっている。また、この受け板部３８の延出部分の下面と縦枠材３２との間には、この受け板部３８の延出部分の下面と縦枠材３２とに沿って三角形状の補強リブ３８ｄが取り付けられており、前記傾斜面材２０をより確実かつ安定的に支持できるようになっている。
また、縦枠材３２の上端部には、前記横枠材３３を取り付けるためのブラケット３４が取り付けられている。このブラケット３４にはボルト孔が形成されており、前記横枠材３３を固定するためのボルト３４ａを挿入できるようになっている。
また、縦枠材３２の下端部には、前記横枠材３５を取り付けるためのブラケット３６が取り付けられている。このブラケット３６にはボルト孔が形成されており、前記横枠材３５を固定するためのボルト３６ａを挿入できるようになっている。
また、縦枠材３２には、前記サッシ３９の側端部が取り付けられる断面視Ｌ字型の取付板部３７が取り付けられている。この取付板部３７は、前記縦枠材３２の長さ方向に沿って設けられ、かつ前記ブラケット３４とブラケット３６との間に位置している。
なお、これらブラケット３４と、ブラケット３６と、取付板部３７は、枠体３１の開口部３１ａ側面に設けられている。
【００３０】
また、前記横枠材３３は、下面板３３ａと、この下面板３３ａの一側縁から上方に突出する突出板部３３ｂと、下面板３３ａの他側縁から上方に突出する突部３３ｃとを備えている。前記突出板部３３ｂは、前記突部３３ｃよりも高さが高く設定されている。
さらに、前記下面板３３ａの上面には、前記サッシ３９を枠体３１に取り付けるために用いられるサッシアンカー（図示せず）が固定されるサッシアンカー用ナット３３ｄが適当に間隔をあけて設けられている。また、このナット３３ｄが設けられる位置の下面板３３ａには、このナット３３ｄの孔に対応する孔が形成されているものとする。
また、前記下面板３３ａの下面には、この下面板３３ａの両端部に、進入口３０自体を吊り上げるための吊り治具（図示せず）を取り付けるための吊りナット３３ｅ，３３ｅが設けられている。また、吊りナット３３ｅが設けられる位置の下面板３３ａには、この吊りナット３３ｅの孔に対応する孔が形成されているものとする。
また、この横枠材３３の両端部には、前記２本の縦枠材３２，３２の両端部に取り付けられたブラケット３４，３４に当接する取付プレート３３ｆ，３３ｆが取り付けられている。取付プレート３３ｆ，３３ｆには、前記ブラケット３４，３４に形成されたボルト孔に対応するボルト孔が形成されている。そして、これら取付プレート３３ｆのボルト孔とブラケット３４のボルト孔にボルト３４ａが挿入され、このボルト３４ａにナット３４ｂが螺合されることによって取付プレート３３ｆが前記ブラケット３４に固定されている。これによって、横枠材３３を前記２本の縦枠材３２，３２に取り付けることができる。
【００３１】
また、前記横枠材３５は、いわゆるＣ形鋼であり、開放面が下方に向けられるようにして設けられている。
この横枠材３５の上面板３５ａの下面には、前記サッシ３９を枠体３１に取り付けるために用いられるサッシアンカー（図示せず）が固定されるサッシアンカー用ナット３５ｂが適当に間隔をあけて設けられている。また、このナット３５ｂが設けられる位置の上面板３５ａには、このナット３５ｂの孔に対応する孔が形成されているものとする。
また、この横枠材３５の両端部には、前記２本の縦枠材３２，３２の両端部に取り付けられたブラケット３６，３６に当接する取付プレート３５ｃ，３５ｃが取り付けられている。取付プレート３５ｃ，３５ｃには、前記ブラケット３６，３６に形成されたボルト孔に対応するボルト孔が形成されている。そして、これら取付プレート３５ｃのボルト孔とブラケット３６のボルト孔にボルト３６ａが挿入され、このボルト３６ａにナット３６ｂが螺合されることによって取付プレート３５ｃが前記ブラケット３６に固定されている。これによって、横枠材３５を前記２本の縦枠材３２，３２に取り付けることができる。
また、この横枠材３５の両端部の下面と前記取付プレート３５ｃ，３５ｃとの間には、それぞれ、この横枠材３５の両端部の下面と前記取付プレート３５ｃ，３５ｃとに沿って三角形状の補強リブ３５ｄ，３５ｄが取り付けられている。これによって、前記枠体３１自体をより確実かつ安定的に支持できるようになっている。
【００３２】
前記サッシ３９は、サッシ枠に、ガラスが嵌め込まれた複数の窓サッシが取り付けられた引き違い窓とされている。そして、このサッシ３９の両側端部が、前記２本の縦枠材３２，３２の取付板部３７，３７に取り付けられている。また、上端部が、前記サッシアンカー用ナット３３ｄに固定されたサッシアンカーを介して前記横枠材３３に取り付けられており、下端部が、前記サッシアンカー用ナット３５ｂに固定されたサッシアンカーを介して前記横枠材３５に取り付けられている。
なお、本実施の形態のサッシ３９の複数の窓サッシは、一つの窓サッシをスライドさせて開口部３１ａを開放させたときに、開口幅が７５ｃｍ以上、開口高さが１２０ｃｍ以上となるように設定されている。また、開口下端部が、三階３の床面から８０ｃｍ以下となるように設定されている。すなわち、法律で定められた基準を満たすように設定されているものとする。
【００３３】
以上のような進入口３０は、前記枠体３１と前記サッシ３９とが予め組み立てられた状態となっている。これによって、前記進入口３０を、前記建物１の一側面１ａに配置された下階建物ユニット１０ａの上方に設置すれば、サッシ３９の取付も同時に行うことができるので、三階以上の階３で前記進入口３０を組み立てる必要が無くなり、前記進入口３０を三階建て以上の建物１の傾斜面４側に容易に取り付けることができる。
また、前記枠体３１によって、前記傾斜面材２０のうち、前記上階建物ユニット１０ｂと、前記建物１の一側面１ａに配置された下階建物ユニット１０ａとの間の部分を支持できるので、この傾斜面材２０の設置状態の安定性を向上させることができる。
【００３４】
前記傾斜面材２０と前記進入口３０との間には、図９に示すように、前記上部壁２１が設けられている。この上部壁２１は、勾配桁２１ａと、合板２１ｂと、サイディング２１ｃ等を備える。
勾配桁２１ａは、前記進入口３０の上方に位置するとともに前記バルコニー５に面して設けられた母屋２０ｃに取り付けられている。また、断面略三角形状に形成されており、前記バルコニー５側の面が垂直面とされている。
合板２１ｂは、前記勾配桁２１ａの垂直面に取り付けられており、下端部は、前記横枠材３３の突部３３ｃのバルコニー５側面に当接している。また、この合板２１ｂのバルコニー５側面には耐水シートが貼り付けられている。
サイディング２１ｃは、耐水シートを介して、前記合板２１ｂのバルコニー５側面に取り付けられている。
【００３５】
また、図９に示すように、前記進入口３０に対向して、前記バルコニー壁２２が設けられている。このバルコニー壁２２は、芯材パネル２２ａと、合板２２ｂと、通気胴縁２２ｃ，２２ｃと、サイディング２２ｄと、受け部材２２ｅと、下地材２２ｆ等を備える。
芯材パネル２２ａは、複数の芯材を縦横に組み立ててなる矩形枠状体であり、この芯材パネル２２ａの前記バルコニー５側面に、耐水シートが貼り付けられた合板２２ｂが取り付けられている。そして、これら芯材パネル２２ａと合板２２ｂとによって建築用壁パネルが構成されている。また、この合板２２ｂの上端部は、前記芯材パネル２２ａの上端部よりも上方に突出している。
通気胴縁２２ｃ，２２ｃは、耐水シートを介して、前記合板２２ｂの上端部と下端部とに、横方向に取り付けられている。
サイディング２２ｄは、前記通気胴縁２２ｃ，２２ｃを介して、前記合板２２ｂのバルコニー５側面に取り付けられている。
受け部材２２ｅは、バルコニー壁２２の上方に設けられる傾斜面材２０を受けるものであり、前記合板２２ｂの上端部に、下地材２２ｆを介して取り付けられている。また、断面略くの字型に形成されており、前記傾斜面材２０の母屋２０ｃの下面に当接固定される面と、前記下地材２２ｆに当接固定される面とを有する。
【００３６】
前記バルコニー壁２２の上端部には、このバルコニー壁２２の上端部と、前記傾斜面材２０の野地板２０ｄに形成された開口部と、バルコニー５に面する母屋２０ｃとを包んでカバーする前記棟包み２３が設けられている。
この棟包み２３は、例えば金属板を折曲加工することによって形成されており、前記母屋２０ｃに取り付けられた下地材２３ａと、前記傾斜面材２０の上面に取り付けられた下地材２３ｂと、前記バルコニー壁２２の上端部に取り付けられた下地材２３ｃとに対して固定されている。なお、この棟包み２３は、前記バルコニー壁２２の手摺りとして機能する。
【００３７】
次に、前記進入口３０の施工方法について説明する。なお、建物１を構成する各建物ユニット１０（１０ａ，１０ｂ，１０ｃ）は、現場でクレーン等によって吊り上げながら所定の位置に設置される。
【００３８】
まず、前記複数の一階建物ユニット１０ｃ…を、長辺方向において２個分隣接して配置するとともに、短辺方向において適当な間隔をあけて２個分離し置きするようにして、基礎上に並設することによって、建物の一階を形成する。
また、離し置きした一方および他方の一階建物ユニット１０ｃ，１０ｃ間に床板７を取り付けることで一階床を形成する。その他、適宜、内壁面材の施工を行ったり、断熱材の施工を行ったりする。
【００３９】
続いて、前記複数の下階建物ユニット１０ａ…を、長辺方向において２個分隣接して配置するとともに、短辺方向において適当な間隔をあけて２個分離し置きするようにして、前記建物１の一階の上に並設することによって、建物１の二階２を形成する。
また、離し置きした一方の下階建物ユニット１０ａの長辺床梁１３ａおよび他方の下階建物ユニット１０ａの長辺床梁１３ａに、前記支持梁６ａ，６ａをそれぞれ固定する。さらに、これら支持梁６ａ，６ａ間に、前記複数の連結部材６を、前記支持梁６ａ，６ａの長さ方向に適当な間隔をあけて複数架設する。そして、これら複数の連結部材６…上面に前記床板６ｂを取り付けて二階床を形成する。その他、適宜、内壁面材の施工を行ったり、断熱材の施工を行ったりする。
【００４０】
続いて、建物１の三階３を形成する。
三階３を形成するにあたっては、まず、前記枠体３１とサッシ３９とが予め組み立てられた状態の進入口３０を、前記上階建物ユニット１０ｂの側面の傾斜面４側の部位に予め仮に取り付けておく。なお、前記上階建物ユニット１０ｂの側面の傾斜面４側の部位とは、前記進入口３０の正規の取付位置と平行し、かつ前記上階建物ユニット１０ｂのうち建物１の一側面１ａ側に位置する長辺天井梁１２ａおよび長辺床梁１３ａを指している。
なお、前記枠体３１とサッシ３９との組み立ては予め工場等で行われる。また、前記進入口３０の前記上階建物ユニット１０ｂへの仮取付も予め工場等で行われ、そのままの状態で輸送車両等により輸送される。
【００４１】
また、前記進入口３０を前記上階建物ユニット１０ｂに仮に取り付けておく際には、この進入口３０の高さと、前記上階建物ユニット１０ｂの高さのとの差を補填する仮取付治具５０を使用する。
このような仮取付治具５０によって前記進入口３０の高さと、前記上階建物ユニット１０ｂの高さとの差を補填できるので、前記進入口３０を、前記上階建物ユニット１０ｂに確実に取り付けることができる。
また、前記仮取付治具５０は、別の進入口の施工工事の際に使い回すことができるので、この仮取付治具５０を製造に係るコストや手間を低減できる。
【００４２】
ここで、この仮取付治具５０は、図４〜図７に示すように、治具本体５１と、連結部５２とを備える。
治具本体５１は、２枚の側板と、これら両側板の一端部間に設けられる中央板とからなり、断面略凹型に形成されている。中央板が前記上階建物ユニット１０ｂの長辺天井梁１２ａにボルト固定されている。
連結部５２は、前記治具本体５１の下端部と、前記枠体３１の２本の縦枠材３２，３２の上端部に設けられた受け板部３８，３８とを連結している。この連結部５２は、図５に示すように、２枚の側板部５３，５３と、当接板部５４と、補強板部５５とを有する。
前記側板部５３は、治具本体５１側端部が斜めに形成されている。また、前記当接板部５４は、前記受け板部３８に当接するものであり、前記２枚の側板部５３，５３の枠体３１側端部間に一体に架設されている。
また、この当接板部５４には孔が形成されるとともに、この穴に対応する位置にナット５４ｂが固定されており、ボルト５４ａによって当接板部５４と前記受け板部３８とが連結される。
前記補強板部５５は、前記当接板部５４の傾斜方向下端部と前記２枚の側板部５３，５３の縁部とに沿って一体形成されるものであり、連結部５２自体の剛性を高めることができる。
また、このような仮取付治具５０は、前記縦枠材３２，３２の下端部に接合され、これら縦枠材３２，３２を支持する支持プレート５６とセットで使用される。
この支持プレート５６は、図７に示すように、アングル材であり、一方の板は前記縦枠材３２のベースプレート３２ａにボルト・ナットで固定されており、他方の板は前記上階建物ユニット１０ｂの長辺床梁１３ａに接合されている。
【００４３】
続いて、前記建物１の二階２の上に、前記複数の上階床パネル４０…を並設する。すなわち、離し置きされた一方の下階建物ユニット１０ａと他方の下階建物ユニット１０ａの上に前記上階床パネル４０を設置する。特に、前記建物１の一側面１ａに配置された下階建物ユニット１０ａの上面には、前記進入口３０の下端部が取り付けられる上階床パネル４０が設置される。
【００４４】
続いて、前記建物１の二階２の上に、前記複数の上階建物ユニット１０ｂ…を並設する。すなわち、前記上階建物ユニット１０ｂを、図示しない前記支持手段によって支持するようにして、前記一方の下階建物ユニット１０ａと他方の下階建物ユニット１０ａとの間の隙間の上方に配置する。つまり、前記建物１の一側面１ａに配置された下階建物ユニット１０ａの上面に、前記進入口３０の下端部が取り付けられる上階床パネル４０を設置した後に、前記上階建物ユニット１０ｂを設置することになる。
この時、前記上階建物ユニット１０ｂを設置すると同時に、前記上階建物ユニット１０ｂの傾斜面４側の部位に仮に取り付けられた進入口３０も、建物１の三階３に運搬される。また、前記進入口３０を構成する枠体３１の縦枠材３２，３２の下端部に設けられたベースプレート３２ａ，３２ａの一側面１ａ側端部は、図４に示すように、前記上階床パネル４０の長辺床梁４１ａの上面に載せられている。
そして、このように前記上階建物ユニット１０ｂを設置する前に、前記進入口３０の下端部が取り付けられる上階床パネル４０を、前記建物１の一側面１ａに配置された下階建物ユニット１０ａの上面に設置しておくので、前記上階建物ユニット１０ｂを設置してから、前記進入口３０の取付作業に取り掛かることができる。すなわち、前記進入口３０は、前記上階床パネル４０に取り付けられるため、この進入口３０が運搬される前に上階床パネル４０が設置されていれば、この進入口３０を、設置場所を間違えることなく前記上階床パネル４の所定の位置に取り付けることができる。また、前記上階床パネル４０を足場として、前記進入口３０の取付作業を行うことができるので、この進入口３０の取付作業を安全に行うことができる。
【００４５】
続いて、前記進入口３０の下端部が取り付けられる上階床パネル４０の上面のうち建物１の一側面１ａ側に、図９に示すように、防水処理が施されたバルコニー５用の防水床４６を設置する。
なお、この防水床４６を設置する工程は、本実施形態のように前記上階建物ユニット１０ｂを設置した後でもよいし、前記上階建物ユニット１０ｂを設置する前でもよい。また、予め工場等で前記上階床パネル４０に前記床梁４７を接合した状態とし、前記立ち上がり４８および床板４９を、前記上階建物ユニット１０ｂの設置前や設置後に、前記床梁４７に取り付けるようにしてもよい。
そして、このように前記進入口３０を前記上階床パネル４０の上面に取り付ける前に、前記防水床４６を、前記上階床パネル４０の上面のうち建物１の一側面１ａ側に設置しておくので、バルコニー５の床４６を形成してから、このバルコニー５に面して配置される進入口３０を設置できる。すなわち、前記進入口３０はバルコニー５に面して配置されるため、この進入口３０が設置される前にバルコニー５の防水床４６が形成されていれば、この進入口３０を、設置場所を間違えることなく前記上階建物ユニット１０ｂの仮取付位置から移動させることができる。
【００４６】
続いて、前記上階建物ユニット１０ｂに仮取り付けされた進入口３０を、前記上階建物ユニット１０ｂから取り外すとともに前記傾斜面４側、すなわち、建物１の一側面１ａ側に移動させ、前記建物１の一側面１ａに配置された下階建物ユニット１０ａの上方に設置する。
この時、この進入口３０は、前記防水床４６の建物中央側縁部４６ａに沿って取り付けるようにする。また、この進入口３０の下端部のベースプレート３２ａ，３２ａを、前記上階床パネル４０の床中間梁４２の上面にボルト・ナットによって固定するようにする。
【００４７】
続いて、前記上階建物ユニット１０ｂと、前記建物１の一側面１ａに配置された下階建物ユニット１０ａとの間に傾斜面材２０を架け渡して傾斜面４を形成する。すなわち、屋根パネルである前記傾斜面材２０を複数用いて建物本体の上部に屋根を形成することによって、前記進入口３０の下端部が取り付けられる上階床パネル４０の上方に、前記傾斜面４を形成することができる。この時、前記複数の傾斜面材２０は、図示しない前記複数の屋根束によって支持された状態となっている。
なお、建物本体の上部に屋根を形成することによって、前記上階建物ユニット１０ｂの中央部の上方には屋根の棟部が位置し、建物１の一側面１ａおよび他側面１ｂよりも外側には屋根の軒先部が位置する状態となる。また、前記傾斜面材２０の野地板２０ｄの上面には屋根材が取り付けられている。また、前記進入口３０の下端部が取り付けられる上階床パネル４０の上方には、野地板２０ｄに開口部が形成された傾斜面材２０が配置された状態となる。
【００４８】
また、この時、前記進入口３０の縦枠材３２，３２の上端部に設けられた受け板部３８，３８によって、前記傾斜面材２０を受けた状態となる。続いて、このように傾斜面材２０を受けた受け板部３８，３８と、前記傾斜面材２０の桟材２０ｂ，２０ｂとをボルト３８ｂ・ナット３８ｃによって固定する。
続いて、前記上部壁２１や前記バルコニー壁２２、前記棟包み２３、前記軒天井２４の施工を行ったり、前記傾斜面材２０の室内側面に天井板を取り付けたり、前記断熱材２０ｅの施工を行ったり、床の施工を行ったりして建物１の三階３を形成する。
なお、建物１の一側面１ａおよび他側面１ｂを含む周側面には、前記外壁材４４と同質の外壁材が、適宜取り付けられる。また、以上のようにして、前記進入口３０の施工が行われる。
【００４９】
なお、本実施の形態においては、前記進入口３０を、前記建物１の一側面１ａに配置された下階建物ユニット１０ａの上方に設置した後に、前記傾斜面材２０を設置するものとしたが、これに限られるものではない。すなわち、前記傾斜面材２０を、前記上階建物ユニット１０ｂと、前記建物１の一側面１ａに配置された下階建物ユニット１０ａとの間に架け渡した後に、前記進入口３０を、前記建物１の一側面１ａに配置された下階建物ユニット１０ａの上方に設置してもよいものとする。
【００５０】
なお、本実施の形態の進入口３０の施工方法は、非常用進入口または代用進入口として使われる進入口３０だけでなく、単なる出入り口として使われる開口部にも適用できるものとする。
すなわち、建物１の一側面１ａとは異なる他の側面に非常用進入口を確保できれば、バルコニー５の出入り口として開口部を、建物１の傾斜面４側に取り付けたい時に、本実施の形態の進入口３０の施工方法を適用することができる。
【００５１】
本実施の形態によれば、前記上階建物ユニット１０ｂの側面の傾斜面４側の部位に、予め組み立てられた状態の進入口３０を仮に取り付けておくことによって、前記上階建物ユニット１０ｂを、前記複数の下階建物ユニット１０ａ…よりも上方で、かつ複数の下階建物ユニット１０ａ…のうち建物１の一側面１ａに配置された下階建物ユニット１０ａよりも内側に設置するのと同時に、この上階建物ユニット１０ｂの側面の傾斜面４側の部位に仮に取り付けられた進入口３０も、建物１の三階３に運搬することができる。さらに、前記進入口３０を、前記上階建物ユニット１０ｂから取り外すとともに傾斜面４側に移動させ、建物１の一側面１ａに配置された下階建物ユニット１０ａの上方に設置するようにして取付作業を行うので、三階３で進入口３０を組み立てる必要が無くなり、この進入口３０を、前記上階建物ユニット１０ｂから前記建物１の一側面１ａに配置された下階建物ユニット１０ａの上方に付け替えるだけで済む。これによって、前記進入口３０を、本実施の形態の三階建ての建物１の傾斜面４側に容易に取り付けることができる。
【符号の説明】
【００５２】
１  建物
１ａ  一側面
２  下階
３  上階
４  傾斜面
１０  建物ユニット
１０ａ  下階建物ユニット
１０ｂ  上階建物ユニット
２０  傾斜面材
３０  進入口
３１  枠体
３９  サッシ
４０  上階床パネル
５０  仮取付治具
【図１】
0005749630.tif 000002
【図２】
0005749630.tif 000003
【図３】
0005749630.tif 000004
【図４】
0005749630.tif 000005
【図５】
0005749630.tif 000006
【図６】
0005749630.tif 000007
【図７】
0005749630.tif 000008
【図８】
0005749630.tif 000009
【図９】
0005749630.tif 000010
【図１０】
0005749630.tif 000011